(57)【要約】【課題】事前に移動通信システムにおける通信環境の状態を把握し、ユーザに対して通信環境に係る情報を提供する。また、ユーザの移動を予測し、その予測結果に応じてシームレスなサービスを提供する。【解決手段】本発明に係る移動通信システムは、所定の対象のリソースに関する情報を取得する情報取得手段１１２と、取得された前記所定の対象のリソースに関する情報を記憶する情報記憶手段１１３と、移動通信端末から送信された前記所定の対象のリソースに関する情報についての情報提供要求に応じて、前記情報記憶手段１１３を検索し、検索された前記所定の対象のリソースに関する情報を前記移動通信端末に提供する情報提供手段１１４とを具備する。【選択図】      図１
2006340388.tif 000002
【特許請求の範囲】
【請求項１】
移動通信端末と移動通信ネットワーク制御装置とによって構成される移動通信システムであって、
移動通信ネットワーク制御装置は、
所定の対象のリソースに関する情報を取得する情報取得手段と、
取得された前記所定の対象のリソースに関する情報を記憶する情報記憶手段と、
移動通信端末から送信された前記所定の対象のリソースに関する情報についての情報提供要求に応じて、前記情報記憶手段を検索し、検索された前記所定の対象のリソースに関する情報を前記移動通信端末に提供する情報提供手段とを具備し、
移動通信端末は、
前記所定の対象のリソースに関する情報についての情報提供要求を送信する情報提供要求送信手段と、
前記移動通信ネットワーク制御装置から提供された前記所定の対象のリソースに関する情報を表示する表示手段とを具備することを特徴とする移動通信システム。
【請求項２】
前記所定の対象のリソースに関する情報についての情報提供要求は、所望のサービスを受けることができる場所についての情報提供要求であることを特徴とする請求項１に記載の移動通信システム。
【請求項３】
前記移動通信ネットワーク制御装置は、前記移動通信端末及び前記対象の位置情報を管理する位置情報管理手段を具備し、
前記位置情報管理手段は、前記検索された所望のサービスを受けることができる場所についての情報に応じて、前記移動通信端末と前記所望のサービスを受けることができる場所との間の距離情報、又は、前記所望のサービスを受けることができる場所と前記情報提供要求で指定された場所との間の距離情報を計算し、  前記情報提供手段は、計算された前記距離情報を前記移動通信端末に提供することを特徴とする請求項２に記載の移動通信システム。
【請求項４】
前記移動通信端末が所定の場所に移動した履歴を記憶する履歴情報記憶手段と、
前記移動通信端末が前記所定の場所に移動したことを検出し、その旨を通知する通知手段と、
前記通知に応じて、前記移動通信端末に提供するサービスに対して所定の処理を行う処理手段とを具備することを特徴とする移動通信ネットワーク制御装置。
【請求項５】
前記移動通信端末の移動状況を監視し、監視した結果に基づいて、前記履歴情報記憶手段に記憶される内容を更新する履歴情報更新手段を具備することを特徴とする請求項４に記載の移動通信ネットワーク制御装置。
【請求項６】
前記履歴情報更新手段は、前記移動通信端末の所定の場所への移動の頻度に応じて、前記履歴情報記憶手段に記憶される内容を更新することを特徴とする請求項５に記載の移動通信ネットワーク制御装置。
【請求項７】
所定の対象のリソースに関する情報を取得する情報取得手段と、
取得された前記所定の対象のリソースに関する情報を記憶する情報記憶手段と、
前記所定の対象のリソースに関する情報についての情報提供要求に応じて、前記情報記憶手段を検索し、検索された前記所定の対象のリソースに関する情報を提供する情報提供手段とを具備することを特徴とする移動通信ネットワーク制御装置。
【請求項８】
所定の対象のリソースに関する情報についての情報提供要求を送信する情報提供要求送信手段と、
提供された前記所定の対象のリソースに関する情報を表示する表示手段とを具備することを特徴とする移動通信端末。
【請求項９】
移動通信ネットワーク制御装置において、所定の対象のリソースに関する情報を取得する工程と、
前記移動通信ネットワーク制御装置において、取得された前記所定の対象のリソースに関する情報を記憶する工程と、
前記移動通信ネットワーク制御装置において、移動通信端末から送信された前記所定の対象のリソースに関する情報についての情報提供要求に応じて、前記情報記憶手段を検索し、検索された前記所定の対象のリソースに関する情報を前記移動通信端末に提供する工程とを有することを特徴とする移動通信ネットワーク制御方法。
【請求項１０】
前記所定の対象のリソースに関する情報についての情報提供要求は、所望のサービスを受けることができる場所についての情報提供要求であることを特徴とする請求項９に記載の移動通信ネットワーク制御方法。
【請求項１１】
前記移動通信ネットワーク制御装置において、前記移動通信端末及び前記対象の位置情報を管理する位置情報管理手段によって、前記検索された所望のサービスを受けることができる場所についての情報に応じて、前記移動通信端末と前記所望のサービスを受けることができる場所との間の距離情報、又は、前記所望のサービスを受けることができる場所と前記情報提供要求で指定された場所との間の距離情報を計算する工程と、
前記移動通信ネットワーク制御装置において、計算された前記距離情報を前記移動通信端末に提供する工程とを有することを特徴とする請求項１０に記載の移動通信ネットワーク制御方法。
【請求項１２】
移動通信ネットワーク制御装置において、移動通信端末が所定の場所に移動した履歴を記憶する第１工程と、
前記移動通信ネットワーク制御装置において、前記移動通信端末が前記所定の場所に移動したことを検出し、その旨を通知する第２工程と、
前記移動通信ネットワーク制御装置において、前記通知に応じて、前記移動通信端末に提供するサービスに対して所定の処理を行う第３工程とを有することを特徴とする移動通信ネットワーク制御方法。
【請求項１３】
前記移動通信ネットワーク制御装置において、前記移動通信端末の移動状況を監視し、監視した結果に基づいて前記履歴の記憶内容を更新する第４工程を有することを特徴とする請求項１２に記載の移動通信ネットワーク制御方法。
【請求項１４】
前記第４工程において、前記移動通信端末の所定の場所への移動の頻度に応じて、前記履歴の記憶内容を更新することを特徴とする請求項１３に記載の移動通信ネットワーク制御方法。
【発明の詳細な説明】
【技術分野】
【０００１】
本発明は、移動通信システム、移動通信ネットワーク制御装置、移動通信端末及び移動通信ネットワーク制御方法に関する。
【背景技術】
【０００２】
従来、移動通信システムにおいて、インターネット上のＷＷＷサーバ等のサーバ装置からユーザの移動端末（移動局）に各種情報を提供する情報提供システムが知られている。例えば、このような情報提供システムとして、株式会社エヌ・ティ・ティ・ドコモが提供する「ｉモード・サービス（サービス名）」等がある。
【発明の開示】
【発明が解決しようとする課題】
【０００３】
しかしながら、従来の情報提供システムでは、ユーザは、所望のサービスを受けるための情報を取得することができないという問題点がある。例えば、街頭で高品質のテレビ電話をかけたくなった場合に、近くのカフェまで歩けば、テレビ電話をかけることができるデバイスが存在するにもかかわらず、ユーザはその情報を取得することができない。また、例えば、あと５０ｍほど歩けば、無線状況が好転し、もう少し画質が良くなる場合であっても、ユーザはその情報を取得することができない。
【０００４】
また、従来の情報提供システムは、ユーザの移動を予測することができないため、ユーザの移動に応じて通信状況が悪くなる場合、例えば、ユーザが乗車している電車がもうすぐトンネルに入る場合等であっても、従来の情報提供システムは、そのことを予測することができずシームレスなサービスを提供することができないという問題点がある。
【０００５】
本発明の目的は、上記問題点に鑑み、事前に移動通信システムにおける通信環境の状態を把握し、ユーザに対して通信環境に係る情報を提供することにある。
【０００６】
また、本発明の目的は、ユーザの移動を予測し、その予測結果に応じてシームレスなサービスを提供することにある。
【課題を解決するための手段】
【０００７】
本発明に係る移動通信システム及び移動通信ネットワーク制御方法は、移動通信ネットワーク制御装置において、所定の対象のリソースに関する情報を取得する工程と、前記移動通信ネットワーク制御装置において、取得された前記所定の対象のリソースに関する情報を記憶する工程と、前記移動通信ネットワーク制御装置において、移動通信端末から送信された前記所定の対象のリソースに関する情報についての情報提供要求に応じて、前記情報記憶手段を検索し、検索された前記所定の対象のリソースに関する情報を前記移動通信端末に提供する工程とを有することを特徴とするものである。
【０００８】
本発明に係る移動通信システム及び移動通信ネットワーク制御方法によれば、移動通信ネットワーク制御装置が、移動通信端末からの情報提供要求に対して、所定の対象のリソースに関する情報を提供するため、ユーザは、所望のサービスを受けるための情報を取得することができる。
【０００９】
また、上述の発明において、前記所定の対象のリソースに関する情報についての情報提供要求は、所望のサービスを受けることができる場所についての情報提供要求であることが好ましい。
【００１０】
さらに、上述の発明において、前記移動通信ネットワーク制御装置において、前記移動通信端末及び前記対象の位置情報を管理する位置情報管理手段によって、前記検索された所望のサービスを受けることができる場所についての情報に応じて、前記移動通信端末と前記所望のサービスを受けることができる場所との間の距離情報、又は、前記所望のサービスを受けることができる場所と前記情報提供要求で指定された場所との間の距離情報を計算する工程と、前記移動通信ネットワーク制御装置において、計算された前記距離情報を前記移動通信端末に提供する工程とを有することが好ましい。
【００１１】
また、本発明に係る移動通信システム及び移動通信ネットワーク制御方法は、移動通信ネットワーク制御装置において、移動通信端末が所定の場所に移動した履歴を記憶する第１工程と、前記移動通信ネットワーク制御装置において、前記移動通信端末が前記所定の場所に移動したことを検出し、その旨を通知する第２工程と、前記移動通信ネットワーク制御装置において、前記通知に応じて、前記移動通信端末に提供するサービスに対して所定の処理を行う第３工程とを有することを特徴とするものである。
【００１２】
本発明に係る移動通信システム及び移動通信ネットワーク制御方法によれば、移動通信ネットワーク制御装置において、移動通信端末が所定の場所に移動したことを検出した場合、それに応じて、移動通信端末に提供するサービスに対して所定の処理を行うため、ユーザの移動の予測に応じたシームレスなサービスを提供することができる。
【００１３】
また、上述の発明において、前記移動通信ネットワーク制御装置において、前記移動通信端末の移動状況を監視し、監視した結果に基づいて前記履歴の記憶内容を更新する第４工程を有することが好ましい。
【００１４】
さらに、上述の発明において、前記移動通信端末の所定の場所への移動の頻度に応じて、前記履歴の記憶内容を更新することが好ましい。
【００１５】
また、本発明に係る移動通信ネットワーク制御装置は、所定の対象のリソースに関する情報を取得する情報取得手段と、取得された前記所定の対象のリソースに関する情報を記憶する情報記憶手段と、前記所定の対象のリソースに関する情報についての情報提供要求に応じて、前記情報記憶手段を検索し、検索された前記所定の対象のリソースに関する情報を提供する情報提供手段とを具備することを特徴とするものである。
【００１６】
本発明に係る移動通信ネットワーク制御装置によれば、情報提供手段が、移動通信端末からの情報提供要求に対して、所定の対象のリソースに関する情報を提供するため、ユーザが所望する情報を提供するサービスを実現することができる。
【００１７】
また、本発明に係る移動通信端末は、所定の対象のリソースに関する情報についての情報提供要求を送信する情報提供要求送信手段と、提供された前記所定の対象のリソースに関する情報を表示する表示手段とを具備することを特徴とするものである。
【００１８】
本発明に係る移動通信端末によれば、情報提供要求送信手段が、所定の対象のリソースに関する情報についての情報提供要求を送信し、表示手段が、その結果得られた情報を表示するため、ユーザは、移動通信ネットワーク制御装置から所望の情報を得ることが可能となる。
【００１９】
ここで、「対象」とは、通信端末、計算機、情報入出力装置等のデバイスや、無線通信チャネルをいう。また、「リソース」とは、デバイスの種別、デバイスの位置情報（緯度・経度、標高、海抜、住所、乗り物や建物内、フロア階等の空間的な位置に係る情報）、デバイスの具備機能、デバイスの電池容量、無線通信チャネルの感知エリア、無線通信チャネルの帯域（通信速度）、無線通信チャネルの電波強度、無線通信チャネルの遅延時間、無線通信チャネルの揺らぎ等をいう。
【発明の効果】
【００２０】
本発明によれば、事前に移動通信システムにおける通信環境の状態を把握し、ユーザに対して通信環境に係る情報を提供することができる。また、本発明によれば、ユーザの移動を予測し、その予測結果に応じてシームレスなサービスを提供することができる。
【発明を実施するための最良の形態】
【００２１】
（本実施形態に係る移動通信システムの構成）
以下、図面を参照しながら、本発明の実施形態について詳細に説明する。
【００２２】
図１は、本発明が適用される移動通信システムの構成の一例を示す図であり、該システムの構成のうち本発明に関係する部分のみを概念的に示している。
【００２３】
移動通信システムは、ネットワークＮＷ１００と、情報通信端末と、位置情報管理サーバ４００とから構成される。情報通信端末は、通信端末２００に接続された情報端末３００から構成される分離型の情報通信端末と、これらが一体となって構成される一体型の情報通信端末２５０とを含んで成る。
【００２４】
ネットワークＮＷ１００は、ＮＷ制御部１０２と、無線Ｉ/Ｆ部１０４と、サービスサーバＩ/Ｆ部１０６と、ゲートウェイ部１０８とを含んで成り、通信端末２００又は情報通信端末２５０と、位置情報管理サーバ４００とを相互に接続する機能および移動通信の回線交換またはバケット交換を行う機能を具備する。
【００２５】
ネットワークＮＷ１００は、例えば、インターネットや、イントラネットや、ＬＡＮ（有線／無線の双方を含む）や、公衆電話網（アナログ／デジタルの双方を含む）や、携帯回線交換網／携帯パケット交換網や、無線呼出網や、ＰＨＳ網や、衛星通信網等のネットワークのうちいずれかを含んでもよい。
【００２６】
ＮＷ制御部１０２は、無線Ｉ/Ｆ部１０４とサービスサーバＩ/Ｆ部１０６とゲートウェイ部１０８とに接続され、ネットワークの制御プログラム、各種の通信処理手順等を規定したプログラム、および所要データを格納するためのストレージを具備し、ネットワークＮＷ１００を統括的に制御する機能を具備する。ここで、図２は、図１に示すＮＷ制御部１０２の機能ブロックの一例を示す図であり、ＮＷ制御部１０２の機能のうち本発明に関係する部分のみを概念的に示している。
【００２７】
ＮＷ制御部１０２は、図２に示すように、制御部１１０と、リソース管理部１１２と、リソース管理テーブル１１３と、情報提供部１１４と、履歴情報更新要求部１１６と、サービス処理部１１８とを具備する。
【００２８】
制御部１１０は、ＮＷ制御部１０２内のリソース管理部１１２とリソース管理テーブル１１３と情報提供部１１４と履歴情報更新要求部１１６とサービス処理部１１８とを統括的に制御するものである。
【００２９】
リソース管理部１１２は、制御部１１０とリソース管理テーブル１１３とに接続され、リソース管理テーブル１１３の内容を登録・更新（管理）する機能を具備する。また、リソース管理部１１２は、所定の対象から無線Ｉ/Ｆ部１０４を介して、所定の対象のリソースに関する管理情報を取得し、上述のリソース管理テーブル１１３を登録・更新（管理）する機能を具備する情報取得手段である。
【００３０】
リソース管理テーブル１１３は、所定の対象のリソースに関する情報を記憶する情報記憶手段であって、リソース管理テーブル１１３の一例を、図３（ａ）乃至（ｃ）に示す。図３（ａ）は、「デバイスの具備機能」及び「デバイスの位置情報」を関連付けて記憶するものである。図３（ａ）において、デバイスＡは、フルスクリーン機能を具備し、○○カフェに位置している。また、デバイスＢは、プリンタ機能を具備し、△△ビル××部に位置している。また、デバイスＣは、ＨｉＦｉ機能を具備し、□□宅に位置している。
【００３１】
図３（ｂ）は、「無線通信チャネルの感知エリア」及び「無線通信チャネルの帯域」を関連付けて記憶するものである。図３（ｂ）において、無線通信チャネル１は、○○広場で感知され、無線帯域としてＸｂｐｓを使用する。また、無線通信チャネル２は、△△病院で感知され、無線帯域としてＹｂｐｓを使用する。
【００３２】
また、無線通信チャネル３は、□□宅で感知され、無線帯域としてＺｂｐｓを使用する。
【００３３】
図３（ｃ）は、「ユーザと共に移動する通信端末（デバイス）の位置情報」及び「その場合に要求される処理（処理開始時刻と処理内容）」を、各ユーザ（デバイス）ごとに関連付けて記憶するものである。図３（ｃ）は、ユーザＡについてのテーブルを示す。図３（ｃ）は、ユーザＡが、○○トンネルに位置すると判断された場合、時刻α後からＸ秒の間、ユーザＡに対して提供する情報をバッファリングする処理を、サービス処理部１１８に対して要求するものである。図３（ｃ）は、ユーザＡが、△△病院に位置すると判断された場合、時刻β後からＹ分の間、ユーザＡに対して提供する情報を、音声情報からテキスト情報に変換する処理を、サービス処理部１１８に対して要求するものである。図３（ｃ）は、ユーザＡが、□□宅に位置すると判断された場合、時刻γ後に、ユーザＡに対してメンテナンス情報に送信する処理を、サービス処理部１１８に対して要求するものである。
【００３４】
情報提供部１１４は、制御部１１０とリソース管理テーブル１１３とに接続され、ユーザからの情報提供要求に応じて、所望の情報を提供する情報提供手段である。情報提供部１１４は、ユーザの位置情報とユーザからの情報提供要求の内容とに基づいて、リソース管理テーブル１１３を検索し、ユーザからの情報提供要求に応じた所望の情報を提供する。また、情報提供部１１４は、位置情報管理サーバ４００からユーザの位置情報を取得することができる。情報提供部１１４は、ユーザの位置情報として、情報通信端末から送信される上述の情報提供要求に含まれているものを用いてもよい。
【００３５】
例えば、情報提供部１１４は、ユーザから「近くに存在するフルスクリーン機能を具備したデバイス」についての情報提供要求を受信した場合、図３（ａ）のリソース管理テーブルから、「フルスクリーン機能」を具備しユーザの現在位置の近傍に位置する「デバイスＡ」という情報を抽出し、「デバイスＡ」の位置する場所である「○○カフェ」という情報をユーザに提供する。もし、「フルスクリーン機能」を具備しユーザの現在位置の近傍に位置する複数のデバイスが検索された場合、情報提供部１１４は、任意の一つ又は複数のデバイスについての情報を提供することができる。
【００３６】
また、例えば、情報提供部１１４は、ユーザから「◎◎駅に近くで無線帯域としてＸｂｐｓを用いた通信を行える場所」についての情報提供要求を受信した場合、図３（ｂ）のリソース管理テーブルから、無線帯域として「Ｘｂｐｓ」を使用可能で◎◎駅の近傍で感知可能な「無線通信チャネル１」を抽出し、「無線通信チャネル１」を感知可能な場所として「○○広場」という情報をユーザに提供する。また、情報提供部１１４は、この「○○広場」及び「◎◎駅」という情報を位置情報管理サーバ４００に送信し、それに応じて「◎◎駅と○○広場との間の距離情報」を位置情報管理サーバ４００から受信し、この距離情報をユーザに提供することもできる。
【００３７】
履歴情報更新要求部１１６は、制御部１１６に接続され、ユーザの履歴情報を、位置情報管理サーバ４００に通知することによって、位置情報管理サーバ４００に履歴情報の更新を要求するものである。ここで「履歴情報」とは、位置情報管理サーバ４００により管理されるものであって、例えば、無線通信状況が良くない場所や音声情報の受信が禁止されている場所等にユーザが移動した場合に生成される履歴情報である。例えば、「履歴情報」には、「ユーザＡが○○トンネルに位置した」等の情報が含まれる。
【００３８】
サービス処理部１１８は、制御部１１０とリソース管理テーブル１１３とに接続され、位置情報管理サーバ４００からの指示に応じて、リソース管理テーブル１１３を検索し、検索結果に応じて、該当するユーザに提供するサービスに対して所定の処理を行うものである。例えば、サービス処理部１１８は、ユーザＡが○○トンネルに近づいているので所定の処理を行うように位置情報管理サーバ４００から指示を受けた場合、図３（ｃ）のリソース管理テーブル１１３を検索して、その検索結果に応じて、時刻α後からＸ秒間、ユーザに対して提供する情報をバッファリングする処理を行う。
【００３９】
無線Ｉ/Ｆ部１０４は、ＮＷ制御部１０２に接続され、通信端末２００及び情報通信端末２５０とのインタフェース機能を具備する。サービスサーバＩ/Ｆ部
１０６は、ＮＷ制御部１０２に接続され、位置情報管理サーバ４００とのインタフェース機能を具備する。ゲートウェイ部１０８は、ＮＷ制御部１０２に接続され、他のネットワークとのゲートウェイ機能を具備する。
【００４０】
通信端末２００は、情報端末３００に接続され、無線Ｉ/Ｆ部１０４と無線通信を行う機能を具備する。通信端末２００は、無線呼出端末、ＰＨＳ端末、携帯端末（ＩＭＴ−２０００対応の携帯端末も含む）、通信機能を備えた携帯情報端末（ＰＤＡ）等のうちいずれかであってもよく、特に、携帯端末は、電子メール機能やインターネットへのアクセス機能を具備する端末であってもよい（例えば、株式会社エヌ・ティ・ティ・ドコモ（会社名）が提供するｉモード（サービス名）端末等）。ここで、図４は、図１に示す通信端末２００の機能ブロックの一例を示す図であり、通信端末２００の機能のうち本発明に関係する部分のみを概念的に示している。
【００４１】
通信端末２００は、図４に示すように、制御部２０２と、アンテナ部２０４と、ネットワーク検出部２０６と、ネットワーク通信部２０８と、端末Ｉ/Ｆ部２１０とから構成される。
【００４２】
制御部２０２は、通信端末２００全体を統括的に制御する機能を有する。アンテナ部２０４は、ネットワーク検出部２０６およびネットワーク通信部２０８に接続され、無線Ｉ/Ｆ部１０４と無線通信を行う機能を具備する。ネットワーク検出部２０６は、制御部２０２およびアンテナ部２０４に接続され、通信端末２００が接続されている１つまたは２つ以上のネットワークＮＷ１００を検出する機能を具備する。ネットワーク通信部２０８は、制御部２０２およびアンテナ部２０４に接続され、ネットワーク検出部２０６において検出された１つまたは２つ以上のネットワークＮＷ１００との間で、それぞれ通信を行う機能を具備する。端末Ｉ/Ｆ部２１０は、制御部２０２に接続され、情報端末３００とのインタフェース機能を具備する。
【００４３】
情報端末３００は、通信端末２００に接続され、既知のパーソナルコンピュータ、ワークステーション、またはＰＤＡ等の情報処理端末である。ここで、図５は、図１に示す情報端末３００の機能ブロックの一例を示す図であり、情報端末３００の機能のうち本発明に関係する部分のみを概念的に示している。
【００４４】
情報端末３００は、図５に示すように、制御部３０２と、操作入出力部３０４と、音声入出力部３０６と、画像入出力部３０８と、通信Ｉ/Ｆ部３１２とから構成される。
【００４５】
制御部３０２は、情報端末３００全体を統括的に制御する機能を有する。制御部３０２は、ＯＳ（Ｏｐｅｒａｔｉｎｇ  Ｓｙｓｔｅｍ）等の制御プログラム、各種の処理手順等を規定したプログラム、および所要データを格納するための内部メモリを具備し、これらのプログラム等により、種々の情報処理を行う。
【００４６】
操作入出力部３０４は、制御部３０２に接続され、ユーザが操作するマウス等の各種ポインティングデバイスやキーボードやイメージスキャナやデジタイザ等を制御する機能を具備する。操作入出力部３０４は、近くの無線通信状況のよい場所についての情報や、近くに存在する所定の機能を具備したデバイスについての情報等の所望の情報をネットワークＮＷ１００に提供するように要求する情報提供要求を、ユーザに入力させるものである。操作入出力部３０４が、本発明の移動通信端末の情報提供要求送信手段を構成する。
【００４７】
音声入出力部３０６は、制御部３０２に接続され、音声を入出力する機能を具備し、例えば、マイク、スピーカ等から成る。画像入出力部３０８は、制御部３０２に接続され、画像を入出力する機能を具備し、例えば、ビデオカメラ、デジタルカメラ、ディスプレイ等の表示装置等から成る。通信Ｉ/Ｆ部３１２は、制御部３０２に接続され、通信端末２００の端末Ｉ/Ｆ部２１０との間のインタフェース機能を具備する。音声入出力部３０６及び画像入出力部３０８が、本発明の移動通信端末の表示手段を構成する。
【００４８】
図１の情報通信端末２５０は、通信端末２００と通信端末３００とを適宜相互に組み合わせて１つの筐体、すなわち一体型の情報通信端末として構成したものである。
【００４９】
位置情報管理サーバ４００は、移動距離計算部４０１と、履歴情報更新部４０２と、履歴情報通知部４０３と、履歴情報記憶部４０４とを含んで成り、ユーザの位置情報を管理しており、ユーザの位置情報に基づいた各種処理を行うものである。
【００５０】
移動距離計算部４０１は、情報提供部１１４から特定の場所についての情報を受信し、その特定の場所とユーザの現在位置との距離を計算する位置情報管理手段である。また、移動距離計算部４０１は、情報提供部１１４から二つの場所についての情報を受信した場合、それらの特定の場所間の距離を計算する。また、移動距離計算部４０１は、計算した距離に関する情報を、情報提供部１１４に提供する。
【００５１】
履歴情報記憶部４０４は、履歴情報更新部４０２と履歴情報通知部４０３とに接続され、ユーザごとの履歴情報を管理する履歴情報記憶手段である。履歴情報記憶部４０４は、例えば、「ユーザ」情報と「場所」情報と「トリガ」情報とを関連付けて記憶する。
【００５２】
「ユーザ」情報は、情報通信端末を有するユーザを示すものであり、図６では「ユーザＡ」に係るデータが示されている。「場所」情報は、ユーザに提供するサービスに対して、サービス処理部１１８による所定の処理を要求する必要がある場所を示すものであり、図６では「ユーザＡ」が「○○トンネル」に位置する場合、サービス処理部１１８による所定の処理が必要である旨が示されている。
【００５３】
「トリガ」情報は、サービス処理部１１８に対して所定の処理を要求する契機（トリガ）を示すものであり、図６では「ユーザＡ」が「××駅」に位置する場合がそのトリガである旨が示されている。
【００５４】
履歴情報記憶部４０４は、履歴情報更新要求部１１６による通知の頻度に応じて、上述の履歴情報の管理を行う。例えば、履歴情報記憶部４０４は、所定の回数だけ通知された履歴情報についてのみ管理することができる。
【００５５】
履歴情報更新部４０２は、履歴情報記憶部４０４に接続され、履歴情報更新要求部１１６から通知された所定の対象のリソースについての状況に応じて、履歴情報記憶部４０４の内容を管理する履歴情報更新手段である。
【００５６】
履歴情報通知部４０３は、履歴情報記憶部４０４に接続され、履歴情報記憶部４０４に記憶されている履歴情報に基づいて、サービス処理部１１８に所定の処理を行うように指示する履歴情報通知手段である。履歴情報通知部４０３は、ユーザの位置情報を監視しており、特定のユーザが「トリガ」情報に設定されている場所に移動した場合に、該ユーザが、サービス処理部１１６による処理が必要な「場所」情報に記載されている場所に移動すると予測し、「ユーザ」情報と「場所」情報をサービス処理部１１６に通知することによって、サービス処理部１１６に所定の処理を指示する。
【００５７】
（本実施形態に係る移動通信システムの動作）
図７及び図８に、本実施形態に係る移動通信システムの動作を示す。本実施形態に係る移動通信システムにおいて、ネットワークＮＷ１００のＮＷ制御部１０２のリソース管理部１１２は、所定の対象と通信し、所定の対象のリソースについての情報を取得し、その取得した情報に応じてリソース管理テーブル１１３を更新している。
【００５８】
（１）ユーザが、ネットワークＮＷ１００に所望の情報を要求する場合。
【００５９】
図７は、本実施形態に係る移動通信システムにおいて、ユーザが、「近くに存在するフルスクリーン機能を具備したデバイス」についての情報や、「◎◎駅に近くで無線帯域としてＸｂｐｓを用いた通信を行える場所」についての情報等の所望の情報を、ネットワークＮＷ１００に提供するように要求する場合のシーケンスの一例を示す図であり、該シーケンスのうち本発明に関係する部分のみを概念的に示している。
【００６０】
図７に示すように、ステップ７０１において、ユーザが、情報端末３００の操作入出力部３０４を操作して、上述のような所望の情報についての情報提供要求を入力する。この際、ユーザは、情報通信端末を用いて無線通信を行っていても行っていなくてもよい。そして、情報端末３００の通信Ｉ/Ｆ部３１２が、この情報提供要求を送信し、通信端末２００の端末Ｉ/Ｆ部２１０が、この情報提供要求を受信する。
【００６１】
ステップ７０２において、通信端末２００のＮＷ通信部２０８が、受信した情報提供要求を、アンテナ部２０４を介してネットワークＮＷ１００に転送する。
【００６２】
そして、ネットワークＮＷ１００のＮＷ制御部１０２の情報提供部１１４が、この情報提供要求を受信する。
【００６３】
ステップ７０３において、ＮＷ制御部１０２の情報提供部１１４が、ユーザからの要求に応じて、サービスサーバＩ/Ｆ部１０６を介して、位置情報管理サーバ４００に、該当するユーザの位置情報の提供を要求する。ステップ７０４において、位置情報管理サーバ４００が、要求されたユーザの位置情報をＮＷ制御部１０２の情報提供部１１４に送信する。
【００６４】
ステップ７０５において、ＮＷ制御部１０２の情報提供部１１４が、位置情報管理サーバ４００から受信したユーザの位置情報と、ユーザからの情報提供要求とに基づいて、リソース管理テーブル１１３を検索し、リソース管理テーブル１１３から所望の情報を抽出する。
【００６５】
例えば、ユーザが、フルスクリーンを具備したデバイスで無線通信を行いたいと考え、かかる無線通信を行うためのデバイスについての情報の提供を要求した場合、ＮＷ制御部１０２の情報提供部１１４は、図３（ａ）のリソース管理テーブル１１３を参照して、該ユーザの現在位置する場所に近い場所に存在し、かつフルスクリーン機能を具備するデバイスを検索する。その結果、ＮＷ制御部１０２の情報提供部１１４は「デバイスＡ」を抽出し、「デバイスＡ」の位置する「○○カフェ」という情報を抽出する。
【００６６】
また、例えば、ユーザが、「◎◎駅に近くで無線帯域としてＸｂｐｓを用いた通信を行える場所」についての情報の提供を要求した場合、ＮＷ制御部１０２の情報提供部１１４は、図３（ｂ）のリソース管理テーブル１１３を参照して、該ユーザの現在位置する場所に近い場所で感知でき、かつ無線帯域としてＸｂｐｓを用いることが可能な無線通信チャネルを検索する。その結果、ＮＷ制御部１０２の情報提供部１１４は「無線通信チャネル１」を抽出し、「無線通信チャネル１」を感知可能な場所である「○○広場」という情報を抽出する。
【００６７】
ステップ７０６において、ＮＷ制御部１０２の情報提供部１１４は、ユーザの位置情報（現在位置）及び「○○カフェ」という情報、又は、「○○広場」及び「◎◎駅」という情報を、位置情報管理サーバ４００に送信する。ステップ７０７において、位置情報管理サーバ４００の移動距離計算部４０１が、ユーザの位置情報（現在位置）と「○○カフェ」との間の距離、又は、「○○広場」と「◎◎駅」との間の距離を計算し、計算した距離をＮＷ制御部１０２の情報提供部１１４に送信する。
【００６８】
ステップ７０８において、ＮＷ制御部１０２の情報提供部１１４は、所望の情報（例えば、「○○カフェ」という情報及びユーザの現在位置から「○○カフェ」までの距離情報、「○○広場」という情報及び「◎◎駅」から「○○広場」間での距離情報）を、無線Ｉ/Ｆ部１０４を介して、通信端末２００に送信する。
【００６９】
ステップ７０９において、通信端末２００の端末Ｉ/Ｆ部２１０が、受信した所望の情報を、情報端末３００に送信する。情報端末３００の通信Ｉ/Ｆ部３１２が、この所望の情報を受信し、この所望の情報の種類に応じて、音声入出力部３０６又は画像入出力部３０８のどちらかが、この所望の情報をユーザに通知する。
【００７０】
なお、本実施形態においては、通信端末２００と情報端末３００とを独立の筐体、すなわち分離型の情報通信端末として実現する場合を一例に説明したが、本発明はこの場合に限定されるものではなく、他の実施の形態においては、これらを適宜相互に組み合わせて１つの筐体、すなわち一体型の情報通信端末として実施することがきることは当業者にとって自明である。
【００７１】
（２）ネットワークＮＷ１００が、ユーザの移動を予測して情報を提供する場合。
【００７２】
図８は、本実施形態に係る移動通信システムにおいて、ユーザの乗車する電車がトンネルに入ることを予測し、その予測に応じてユーザに提供するサービスに対して所定の処理を行う場合のシーケンスの一例を示す図であり、該シーケンスのうち本発明に関係する部分のみを概念的に示している。本実施形態に係る移動通信システムにおいて、ＮＷ制御部１０２の履歴情報更新要求部１１６は、周期的に、ユーザについての履歴情報を位置情報管理サーバ４００の履歴情報更新部４０２に通知しており、それに応じて、履歴情報更新部４０２は、履歴情報記憶部４０４の内容を更新している。
【００７３】
ステップ８０１において、電車に乗車しているユーザが、情報通信端末を用いてネットワークＮＷ１００を介して無線通信を行っている。
【００７４】
ステップ８０２において、位置情報管理サーバ４００の履歴情報通知部４０３が、ユーザの位置情報を監視しており、特定のユーザが「トリガ」情報に設定されている場所に移動した場合に、該ユーザが、サービス処理部１１６による処理が必要な「場所」情報に記載されている場所に移動すると予測し、「ユーザ」情報と「場所」情報（例えば○○トンネル）とをサービス処理部１１６に通知することによって、サービス処理部１１６に所定の処理を指示する。
【００７５】
ステップ８０３において、ＮＷ制御部１０２のサービス処理部１１８が、位置情報管理サーバ４００からの指示に応じて、リソース管理テーブル１１３を検索し、検索結果に応じて、該当するユーザに提供するサービスに対して所定の処理を行うものである。
【００７６】
例えば、ＮＷ制御部１０２のサービス処理部１１８は、ユーザＡが「○○トンネル」に近づいているので所定の処理を行うように位置情報管理サーバ４００から指示を受けた場合、図３（ｃ）のリソース管理テーブル１１３を検索して、その検索結果に応じて、時刻α後からＸ秒間、このユーザに対して提供する情報をバッファリングする処理を行う。具体的には、ＮＷ制御部１０２のサービス処理部１１８は、ユーザに提供しているサービスがストリーム通信型の映画配信である場合、圧縮率を一時的に高めて、○○トンネルを抜けるまでのＸ秒間分のデータを前もってバッファリングする。
【００７７】
ステップ８０４において、ＮＷ制御部１０２のサービス処理部１１８は、Ｘ秒間経過後、バッファリング処理を終了し、バッファリングした情報を、通信端末２００に送信する。ステップ８０５において、通信端末２００の端末Ｉ/Ｆ部２１０が、ＮＷ通信部２０８で受信した上述の情報を、情報端末３００に送信する。情報端末３００の通信Ｉ/Ｆ部３１２が、上述の情報を受信し、上述の情報の種類に応じて、音声入出力部３０６又は画像入出力部３０８のどちらかが、上述の情報をユーザに表示する。
【００７８】
なお、本実施形態においては、通信端末２００と情報端末３００とを独立の筐体、すなわち分離型の情報通信端末として実現する場合を一例に説明したが、本発明はこの場合に限定されるものではなく、他の実施の形態においては、これらを適宜相互に組み合わせて１つの筐体、すなわち一体型の情報通信端末として実施することがきることは当業者にとって自明である。
【００７９】
（他の実施の形態）
上述した実施の形態においては、各実施形態を独立に実現する場合を一例に説明したが、本発明はこの場合に限定されるものではなく、他の実施の形態においては、各実施形態を適宜組み合わせて実施することができることは当業者にとって自明である。
【００８０】
また、上述した実施の形態においては、ＮＷ制御部１０２と、無線Ｉ/Ｆ部１０４と、サービスサーバＩ/Ｆ部１０６と、ゲートウェイ部１０８と、位置情報管理サーバ４００とを独立の構成として実現する場合を一例に説明したが、本発明はこの場合に限定されるものではなく、他の実施の形態においては、これらのうちのいずれかを適宜相互に組み合わせた構成として実施することができることは当業者にとって自明である。
【００８１】
また、上述した実施の形態においては、株式会社エヌ・ティ・ティ・ドコモ（会社名）のサービス、システム方式等を一例に説明したが、本発明はこの場合に限定されるものではなく、他の実施の形態においては、同様の機能を有する他社のサービス、システム、方式等に適用してもよい。
【００８２】
以上述べた形態以外にも種々の変形が可能である。しかしながら、その変形が特許請求の範囲に記載された技術思想に基づくものである限り、その変形は本発明の技術範囲内となる。
【００８３】
（本実施形態に係る移動通信システムの作用及び効果）
本発明によれば、情報提供部１１４が、情報通信端末からの情報提供要求にて対して、所定の対象のリソースに関する情報を記憶しているリソース管理テーブル１１３を検索した結果を提供するため、ユーザは、所望のサービスを受けるための情報を取得することができる。
【００８４】
また、本発明によれば、履歴情報通知部４０３が、情報通信端末が所定の場所に移動したことを検出した場合、それに応じて、サービス処理部１１８が、情報通信端末に提供するサービスに対して所定の処理を行うため、ユーザの移動の予測に応じたシームレスなサービスを提供することができる。
【図面の簡単な説明】
【００８５】
【図１】本発明が適用される移動通信システムの構成を示す図である。
【図２】図１に示すＮＷ制御部１０２の機能ブロックを示す図である。
【図３】図１に示すＮＷ制御部１０２のリソース管理テーブル１１３を示す図である。
【図４】図１に示す通信端末２００の機能ブロックを示す図である。
【図５】図１に示す情報端末３００の機能ブロックを示す図である。
【図６】図１に示す位置情報管理サーバ４００の機能ブロックを示す図である。
【図７】本発明が適用される移動通信システムにおいて、ユーザが、所望の情報をネットワークＮＷ１００に提供するように要求する場合のシーケンスの一例を示す図である。
【図８】本発明の移動通信システムにおいて、ネットワークＮＷ１００が、ユーザの移動を予測して情報を提供する場合のシーケンスの一例を示す図である。
【符号の説明】
【００８６】
１００…ネットワークＮＷ
１０２…ＮＷ制御部
１０４…無線Ｉ/Ｆ部
１０６…サービスサーバＩ/Ｆ部
１０８…ゲートウェイ部
１１２…リソース管理部
１１３…リソース管理テーブル
１１４…情報提供部
１１６…履歴情報更新要求部
１１８…サービス処理部
１１０、２０２、３０２…制御部
２００…通信端末
２０４…アンテナ部
２０６…ネットワーク検出部
２０８…ネットワーク通信部
２１０…端末Ｉ/Ｆ部
２５０…情報通信端末（一体型）
３００…情報端末
３０４…操作入出力部
３０６…音声入出力部
３０８…画像入出力部
３１２…通信Ｉ/Ｆ
４００…位置情報管理サーバ
【図１】
2006340388.tif 000003
【図２】
2006340388.tif 000004
【図３】
2006340388.tif 000005
【図４】
2006340388.tif 000006
【図５】
2006340388.tif 000007
【図６】
2006340388.tif 000008
【図７】
2006340388.tif 000009
【図８】
2006340388.tif 000010
【手続補正書】
【提出日】平成18年7月24日(2006.7.24)
【手続補正２】
【補正対象書類名】特許請求の範囲
【補正対象項目名】全文
【補正方法】変更
【補正の内容】
【特許請求の範囲】
【請求項１】
位置情報管理サーバとネットワーク制御装置とを具備する移動通信システムであって、
前記位置情報管理サーバは、
通信端末を具備するユーザごとの履歴情報として、前記ユーザを特定するためのユーザＩＤと、前記ユーザに提供されるサービスに対して所定の処理を要求する必要がある場所を示す場所情報と、前記所定の処理が要求されるトリガを示すトリガ情報とを関連付けて記憶するように構成されている履歴情報記憶部と、
特定のユーザが、前記トリガ情報に設定されている場所に移動したことを検知したとき、前記特定のユーザが、前記特定のユーザを特定するためのユーザＩＤに関連付けられているトリガ情報に関連付けられている場所情報に設定されている場所に移動すると予測し、前記ユーザＩＤ及び前記場所情報を通知するように構成されている履歴情報通知部とを具備し、
前記ネットワーク制御装置は、
場所情報と、所定の処理を示す情報とを関連付けて記憶するように構成されているリソース管理部と、
前記履歴情報通知部からの前記通知に応じて前記リソース管理部を探索して、通知された前記場所情報に対応する場所情報に関連付けられている処理情報に設定されている所定の処理を、通知された前記ユーザＩＤによって特定される前記特定のユーザに対して提供するように構成されているサービス処理部とを具備することを特徴とする移動通信システム。
【請求項２】
前記ネットワーク制御装置は、前記ユーザごとの履歴情報を、前記位置情報管理サーバに通知するように構成されている履歴情報更新要求部を更に具備し、
前記履歴情報記憶部は、前記履歴情報更新要求部によって所定の回数だけ通知された前記ユーザごとの履歴情報を記憶するように構成されていることを特徴とする請求項１に記載の移動通信システム。
【請求項３】
前記リソース管理部は、前記場所情報と前記処理情報と時間情報とを関連付けて記憶するように構成されており、
前記履歴情報通知部からの前記通知に応じて前記リソース管理部を探索して、通知された前記場所情報に対応する場所情報に関連付けられている処理情報に設定されている所定の処理を、前記対応する場所情報に関連付けられている時間情報に基づいて、通知された前記ユーザＩＤによって特定される前記特定のユーザに対して提供するように構成されているサービス処理部とを具備することを特徴とする移動通信システム。
【請求項４】
移動通信ネットワークを制御する移動通信ネットワーク制御方法であって、
位置情報管理サーバは、通信端末を具備するユーザごとの履歴情報として、前記ユーザを特定するためのユーザＩＤと、前記ユーザに提供されるサービスに対して所定の処理を要求する必要がある場所を示す場所情報と、前記所定の処理が要求されるトリガを示すトリガ情報とを関連付けて記憶する履歴情報記憶部を具備し、
ネットワーク制御装置は、場所情報と、所定の処理を示す情報とを関連付けて記憶するリソース管理部を具備し、
前記位置情報管理サーバが、特定のユーザが前記トリガ情報に設定されている場所に移動したことを検知したとき、前記特定のユーザが前記特定のユーザを特定するためのユーザＩＤに関連付けられているトリガ情報に関連付けられている場所情報に設定されている場所に移動すると予測する工程と、
前記位置情報管理サーバが、前記ユーザＩＤ及び前記場所情報を通知する工程と、
前記ネットワーク制御装置が、前記位置情報管理サーバからの前記通知に応じて、前記リソース管理部を探索する工程と、
前記ネットワーク制御装置が、通知された前記場所情報に対応する場所情報に関連付けられている処理情報に設定されている所定の処理を、通知された前記ユーザＩＤによって特定される前記特定のユーザに対して提供する工程とを有することを特徴とする移動通信ネットワーク制御方法。
【請求項５】
前記ネットワーク制御装置が、前記ユーザごとの履歴情報を、前記位置情報管理サーバの履歴情報記憶部に通知する工程と、
前記位置情報管理サーバの履歴情報記憶部が、前記ネットワーク制御装置によって所定の回数だけ通知された前記ユーザごとの履歴情報のみを記憶する工程とを有することを特徴とする請求項４に記載の移動通信ネットワーク制御方法。
【請求項６】
前記ネットワーク制御装置のリソース管理部は、前記場所情報と前記処理情報と時間情報とを関連付けて記憶するように構成されており、
前記提供する工程において、前記ネットワーク制御装置は、通知された前記場所情報に対応する場所情報に関連付けられている処理情報に設定されている所定の処理を、前記対応する場所情報に関連付けられている時間情報に基づいて、通知された前記ユーザＩＤによって特定される前記特定のユーザに対して提供することを特徴とする移動通信ネットワーク制御方法。